(57)【特許請求の範囲】
【請求項１】
直方体状で上部開口部の４辺にそれぞれフラップをもつダンボールよりなる外装箱と、
前記外装箱を内側において調理器本体の下方部を保持する１枚のダンボールよりなる底パットと、
調理器本体の上方部を保持する第１の天パットと、
調理器本体の前方および両側方に前記外装箱の底面から天面まで連接したコの字形状の前パットと、
調理器本体の後方両側方に前記外装箱の底面から天面まで連接したコの字形状の後パットとを備え前記第１の天パットは、前後ならびに両側面部を上方に折り曲げ、天面開放の５面体形状とし、底面部に調理器本体の略投影形状の第５の罫線を設け、且つ調理器本体の略投影形状の略縮小形の第３の切り欠きを設け、前記第３の切り欠きから第５の罫線まで放射状に複数の第４の切り欠きを設け、かつ、前記第１の天パットを横断嵌合するよう配され、船形形状に第６の罫線を入れて、この第６の罫線より略垂直に折り曲げ形成した第２の天パットを備えた
電気調理器用包装装置。
【請求項２】
前記底パットは、前後ならびに両側面部を下方に折り曲げ、底面開放の５面体形状とし、天面部に調理器本体の略投影形状の第１の罫線を設け、且つ調理器本体の略投影形状の略縮小形状の第１の切り欠きを設け、前記第１の切り欠きから第１の罫線まで放射状に複数の第２の切り欠きを設けた
請求項１記載の電気調理器用包装装置。
【請求項３】
第１の天パットおよび底パットの側面コーナー部は、少なくとも対角方向に２箇所以上に仮固定用の一対の係止溝および係止爪を設け、前記係止溝に前記係止爪を係合させた
請求項１または請求項２に記載の電気調理器用包装装置。
【請求項４】
調理器本体の略投影形状の略縮小形状の第１の切り欠きのうち、一組の放射状の第２の切り欠きではさまれた部分１箇所を切り離さずに残すことにより、調理器本体の底面の受けを構成した
請求項２記載の電気調理器用包装装置。
【請求項５】
底パット天面後方部を下面方向に複数回折り曲げて筒構成を形成し、調理器本体と外装箱後面との空間を確保すると共に前記底パット後方天面部を一部切り欠き、調理器コードプラグ収納部を形成した
請求項２記載の電気調理器用包装装置。
【請求項６】
コードプラグ収納部に嵌合爪を設け仮止めできるよう形成した
請求項５記載の電気調理器用包装装置。
【請求項７】
天パット前方部は、前記天パット前方端面を延長して設けた第１の当て板を、略３角形状に折り曲げ調理器本体の前方上端面部に接触させるよう構成した
請求項１記載の電気調理器用包装装置。
【請求項８】
第１の当て板の先端部に嵌合爪を設け、第１の当て板の根元部に嵌合穴を設け、両者を嵌合させて固定できる構成とした
請求項６記載の電気調理器用包装装置。
【請求項９】
天パット後方部は、前記天パット中央から設けた第２の当て板を上方に傾斜させて台形状に形成させ、調理器本体の後方上端面に接触させるよう構成すると共に前記第２の当て板を前記天パット後端面部に嵌る構成にした
請求項１記載の電気調理器用包装装置。
【請求項１０】
後パット中央に凸部を形成し凸部両端に切りこみを入れると共に凸部下方に３本の罫線を、前記切りこみ間に設け、前記凸部を他の面と同面まで押し込んだとき、前記後パットの切りこみに挟まれた部分が、中央の罫線より前方にせり出し、後パットと外装箱により三角形状を形成する
請求項１記載の電気調理器用包装装置。
【請求項１１】
前パットと後パットの展開幅長さを同一とした
請求項１記載の電気調理器用包装装置。
【請求項１２】
前パットと後パットのフルート方向は、鉛直方向とした
請求項１記載の電気調理器用包装装置。
【請求項１３】
前パットと天パットと底パットのフルート方向を互いに直交する向きに配した
請求項１記載の電気調理器用包装装置。
【発明の詳細な説明】
【０００１】
【発明の属する技術分野】
本発明は、外形形状が丸みをおびた複雑な自由曲面で形成されているような商品である電気調理器の梱包において、従来の発泡スチロール製緩衝材に代わる折畳式のダンボール製の包装装置に関するものである。
【０００２】
【従来の技術】
一般に、電気調理器は、ダンボールの包装箱内に収納されて流通に供するが、流通過程における衝撃等により収納物品を保護するために、包装箱内には緩衝材を介入させている。
【０００３】
前記緩衝材としては発泡スチロールが多く用いられているが、この発泡スチロール製の緩衝材は、複雑な曲面を有する商品においても、商品の保持形状を自由に作成でき、また、緩衝効果が高く復元性にも優れており、高湿度環境下においても吸湿等による強度低下がなく、安定した緩衝性能を有するものである。
【０００４】
【発明が解決しようとする課題】
しかし、この発泡スチロールは廃棄時には主にダンボール等の箱材と発泡スチロール製の緩衝材を分別して処分する必要が生じるため、廃棄処理作業が煩雑になり、重量の割に体積が大きくかさばる上、発泡スチロールのリサイクルルートや工法が確立していないため、廃棄処理コストが高くつくこと、さらに焼却処理するときに高熱を発し、焼却炉を損傷するため特殊な焼却炉を必要とするなど、その廃棄処理において難点がある。
【０００５】
また、このような発泡スチロールを使用しないダンボールの緩衝材においても、収容物品を緩衝し、しかも安定に保持するには多量のダンボールよりなる緩衝材を必要とし、その製造および組立が容易でなく、製造上の難点がある。また、パットを打ち抜く過程で打ち抜きカス等廃材が多量に発生し包装材コストの上昇要因になっている。
【０００６】
本発明はこのような従来の問題点に留意し、商品の緩衝材を包装箱と同じダンボールで構成することによって、廃棄時に包装箱と分別する手間を省略でき、さらに廃棄部材の体積を削減でき、ダンボールとして従来の包装箱と同様に分別収集されることによりリサイクル性を向上させることにより、環境に優しい包装形態を実現し、さらに、緩衝材の組立を接着剤や結合部材を使用せず、各部材を折畳式により形成することで組立が容易であり、緩衝材コストを抑え且つ収納物品を安定に緩衝保持する包装装置を提供することを目的とする。
【０００７】
【課題を解決するための手段】
前記目的を達成するために、本発明は、直方体状で上部開口部の４辺にそれぞれフラップをもつダンボールよりなる外装箱と、前記外装箱を内において調理器本体の下方部を保持する１枚のダンボールよりなる底パットと、調理器本体の上方部を保持する第１の天パットと、調理器本体の前方および両側方に前記外装箱の底面から天面まで連接したコの字形状の前パットと調理器本体の後方両側方に前記外装箱の底面から天面まで連接したコの字形状の後パットを備え、前記第１の天パットは、前後ならびに両側面部を上方に折り曲げ、天面開放の５面体形状とし、底面部に調理器本体の略投影形状の第５の罫線を設け、且つ調理器本体の略投影形状の略縮小形の第３の切り欠きを設け、前記第３の切り欠きから第５の罫線まで放射状に複数の第４の切り欠きを設け、かつ、前記第１の天パットを横断嵌合するよう配され、船形形状に第６の罫線を入れて、この第６の罫線より略垂直に折り曲げ形成した第２の天パットを備えた構成とする。
【０００８】
上記構成において、外装箱内の上下に入れた天底パットにより調理器本体を保持し、製品の位置決めを行うと共に、調理器本体と外装箱との間に隙間を作り、調理器を周囲の衝撃より保護する。また、製品前後に設けた前後パットにより、積み上げ保管時の耐圧縮性を確保している。これらの各構成部材は１枚のダンボールよりなり、パットの組立時には接着剤や結合部材を使用せず、各部材を折畳式により形成することで組立が容易となり、緩衝材コストを抑えるとともに、リサイクルの面でも有利である。
【０００９】
【発明の実施の形態】
請求項１記載の発明は、直方体上で上部開口部の４辺にそれぞれフラップをもつダンボールよりなる外装箱と、前記外装箱を内において調理器本体の下方部を保持する１枚のダンボールよりなる底パットと、調理器本体の上方部を保持する第１の天パットと、調理器本体の前方および両側方に前記外装箱の底面から天面まで連接したコの字形状の前パットと調理器本体の後方両側方に前記外装箱の底面から天面まで連接したコの字形状の後パットを備え、前記第１の天パットは、前後ならびに両側面部を上方に折り曲げ、天面開放の５面体形状とし、底面部に調理器本体の略投影形状の第５の罫線を設け、且つ調理器本体の略投影形状の略縮小形の第３の切り欠きを設け、前記第３の切り欠きから第５の罫線まで放射状に複数の第４の切り欠きを設け、かつ、前記第１の天パットを横断嵌合するよう配され、船形形状に第６の罫線を入れて、この第６の罫線より略垂直に折り曲げ形成した第２の天パットを備えた構成を有してなるものである。
【００１０】
請求項２記載の発明は、底パットは前後ならびに両側面部を下方に折り曲げ、底面開放の５面体形状とし、天面部に調理器本体の略投影形状の第１の罫線を設け、且つ調理器本体の略投影形状の略縮小形状の第１の切り欠きを設け、前記第１の切り欠きから第１の罫線まで放射状に複数の第２の切り欠きを設けた構成を有してなるものである。
【００１２】
請求項３記載の発明は、天パットおよび底パットの側面コーナー部は少なくとも対角方向に２箇所以上に、仮固定用の一対の係止溝および係止爪を設け、前記係止溝に前記係止爪を係合させた構成を有してなるものである。
【００１３】
請求項４記載の発明は、調理器本体の略投影形状の略縮小形状の第１の切り欠きのうち、一組の放射状の第２の切り欠きではさまれた部分１箇所を切り離さずに残すことにより、調理器本体の底面の受けを構成してなるものである。
【００１４】
請求項５記載の発明は、底パット天面後方部を下面方向に複数回折り曲げて筒構成を形成し、調理器本体と外装箱後面との空間を確保すると共に前記底パット後方天面部を一部切り欠き、調理器コードプラグ収納部を形成した構成を有してなるものである。
【００１５】
請求項６記載の発明は、コードプラグ収納部に嵌合爪を設け仮止めできるよう形成した構成を有してなるものである。
請求項７記載の発明は、天パット前方部は、前記天パット前方端面を延長して設けた第１の当て板を、略３角形状に折り曲げ調理器本体の前方上端面部に接触させるよう構成してなるものである。
【００１６】
請求項８記載の発明は、第１の当て板先端部に嵌合爪を設け、第１の当て板の根元部に嵌合穴を設け、両者を嵌合させて固定できる構成としてなるものである。
【００１７】
請求項９記載の発明は、天パット後方部は、前記天パット中央から設けた第２の当て板を上方に傾斜させて台形状に形成させ、調理器本体の後方上端面に接触させるよう構成すると共に前記第２の当て板を前記天パット後端面部に嵌る構成にしてなるものである。
【００１９】
請求項１０記載の発明は、後パット中央に凸部を形成し凸部両端に切り込みを入れると共に凸部下方に３本の罫線を、前記切り込み間に設け、前記凸部を他の面と同面まで押し込んだとき、前記後パットの切り込みに挟まれた部分が、中央の罫線より前方にせり出し、後パットと外装箱により三角形状を形成する構成を有してなるものである。
【００２０】
請求項１１記載の発明は前パットと後パットの展開幅長さを同一とした構成を有してなるものである。
請求項１２記載の発明は、前パットと後パットのフルート方向は、鉛直方向とした構成を有してなるものである。
【００２１】
請求項１３記載の発明は、前パットと天パットと底パットのフルート方向を互いに直交する向きに配した構成を有してなるものである。
【００２２】
【実施例】
本発明の一実施例を図１〜図８に基づいて説明する。
本実施例の包装装置は図１に示すように、直方体状で上部開口部の４辺にそれぞれフラップをもつダンボールよりなる外装箱１と、この外装箱１の内側に嵌め込まれて炊飯器本体Ｇの底部を保持するダンボールよりなる底パット２と、炊飯器本体Ｇの上部を保持するダンボールよりなる第１の天パット３と、炊飯器本体Ｇの前方および両側方に前記外装箱の底面から天面まで連接したコの字形状の前パット４と、炊飯器本体Ｇの後方両側方に前記外装箱の底面から天面まで連接したコの字形状の後パット５と、第１の天パット３を横断嵌合するよう配された第２の天パット５２により構成されている。なお、図１における第１の天パット３は、３Ａ，３Ｂの二つが図示されているが、３Ａの形状で外装箱１に組み込んで３Ｂの形状を経て図８に示すような第１の天パット３の仕上がり形状に組み立てられて梱包される。
【００２３】
外装箱１は、上部開口部の４辺のうちの長辺２辺にそれぞれ封止用のフラップ６を有し、短辺２辺には前記フラップ６に対応するそれぞれの位置に係合用の切り欠き７が形成されている。封止時にはフラップ６を切り欠き７に挿入係合させることにより、封止状態を維持できるものである。
【００２４】
図２は１枚のダンボールよりなる底パット２の展開図で、フルート方向が分かるように一部が切り欠かれて表示されており、矢印Ｊ１はダンボールフルート方向を示している。
【００２５】
底パット２は、底板８とその両長辺に底側壁９，１０、両短辺には底側壁１１，１２を有する構成となっている。隣り合う底側壁同士は、底折り込み部１７，１８により連結されており、この底折り込み部のうち、対向する２ヶ所の底折り込み部１８には仮固定用の一対の底係止溝１９と底係止爪２０が設けられている。また、底板８には炊飯器本体の略投影形状の第１の罫線１３を設け、その内部には炊飯器本体の略投影形状の略縮小形状の第１の切り欠き１４を設け、さらに第１の罫線１３から第１の切り欠き１４まで放射状に複数の第２の切り欠き１５を設けることにより複数の底フラップ１６を構成している。
【００２６】
製品後方の底フラップは底板８の中央付近まで伸びており、その先端部と第１の罫線１３との間を３分割し、筒底２１，２２，筒側２３を設けてある。筒底２１にはフラップ先端側に係止爪２４、筒底２２方向には係止爪２５が形成されており、筒底２２の筒側２３側には係止部２６が形成されており、底側壁１１の端部で、係止爪２５に対応する位置には係止溝２７が形成されている。また、底板８の後方と筒側２３の一部には複数の切り欠きおよび罫線により、２つのフラップ２８ａ、フラップ２８ｂが設けられ、炊飯器コードプラグ収納部を形成している。また、炊飯器本体の略投影形状の略縮小形状の第１の切り欠き１４と、筒底２１で囲まれた部分で底当て２９を形成し、この底当て２９は先端部で底板８に形成されている複数の底フラップ１６のうち、製品前方に位置する底フラップと連接して構成されており、製品底面の緩衝効果を高めるものである。
【００２７】
図３は前パット４と後パット５の外観図で、矢印Ｊ２はダンボールフルート方向を示している。
前パット４は前板３０の両側に前側板３１を有し、前板３０の上部中央には凹部３７が設けられている。後パット５は、後板３２の両側に後側板３３を有し、後板３２には２本の切り欠き３５が上下方向に配されており、その切り欠き３５の幅で後板３２の上方に凸部３４が設けられている。凸部３４の下方には切り欠き３５で挟まれた範囲に３本の罫線が上から第２の罫線３６ａ，第３の罫線３６ｂ，第４の罫線３６ｃの順に水平方向に設けられており、第４の罫線３６ｃの端点と２本の切り欠き３５の始点は一致している。また、前パット４の凹部３７の深さと後パット５の凸部３４の出代を等しく構成し、突き合わせて打ち抜くことにより、打ち抜きカス等の廃材を削減できる。
【００２８】
図４は１枚のダンボールよりなる第１の天パット３の展開図で、フルート方向が分かるように一部が切り欠かれて表示されており、矢印Ｊ２はダンボールフルート方向を示している。
【００２９】
第１の天パット３は、天板３８とその両長辺に天側壁３９ａ，３９ｂ、両短辺には天側壁４０，４１を有する構成となっている。隣り合う天側壁の同士は、天折り込み部４２，４３により連結されており、この天折り込み部の内、対向する２ヶ所の天折り込み部４３には仮固定用の一対の天係止溝４４と天係止爪４５が設けられている。また、天板３８には炊飯器本体の略投影形状の第５の罫線４６を設け、その内部には炊飯器本体の略投影形状の略縮小形状の第３の切り欠き４７を設け、さらに第５の罫線４６から第３の切り欠き４７まで放射状に複数の第４の切り欠き４８を設けることにより複数の天フラップ４９を構成している。製品後方の天フラップを延長して構成した第２の当て板６１は底板８の第３の切り欠き４７の範囲で前方に伸びており、その先端部には長手方向に２本の第７の罫線５８が配され、第２の当て板６１の中央付近には第７の罫線５８の端点を起点として、約４５度前方向を斜辺とする略直角三角形の切り欠き穴５９が両側に設けられており、切り欠き穴５９の先端間は罫線が配されている。また、この第２の当て板６１と対向してある天側壁４０の端部には、第７の罫線５８の幅にほぼ等しい間隔で嵌合溝５０が２ヶ所設けられており、嵌合溝５０の入り口には誘い５１が設けられている。さらに、天側壁３９ａ，３９ｂの中央部付近には第２の天パット５２が嵌合する天嵌合溝５３が設けられている。また、前方の天側壁４１の延長方向には第１の当て板５５が配されており、第１の当て板５５には３ヶ所の第８の罫線Ａが幅方向に配されている。第１の当て板５５の先端部には嵌合爪５６が設けられており、根元付近には嵌合爪５６を挿入係止する嵌合穴５７が設けられている。
【００３０】
図５は第２の天パット５２の展開図で、フルート方向が分かるように一部が切り欠かれて表示されており、矢印Ｊ３はダンボールフルート方向を示している。
長方形のダンボールシートに船形形状の第６の罫線Ｆを設け、第６の罫線Ｆより外側を略垂直方向に折起こしてくることにより、製品の外形に沿った形状を形成し、さらに、この第２の天パット５２の中央部には、炊飯器本体の蒸気筒の突出部を保護するための十字状の切り欠き５４を設けている。
【００３１】
これらのダンボール製の緩衝材を使用した梱包手順の例を以下に述べる。
まず、コの字状に折り曲げた前パット４、後パット５を上面開放状態の外装箱１の内壁に沿うように挿入する。この前後パット４，５のフルート方向は鉛直方向（炊飯器本体の高さ方向で、矢印Ｈ方向）に配されており、この構成により、倉庫積み上げ時の耐圧縮強度を確保できるものである。
【００３２】
次に、底パット２を前パット４と後パット５の間に嵌め込む。このとき底パット２は図２に示す１枚のダンボールを折り曲げて図５に示すように組み立てられる。まず、４隅に配置された底折り込み部１７，１８のうち、対角に配置された底折り込み部１８の両端を摘まみ、底側壁９〜１２を下方に折曲げるよう付勢しながら底折り込み部１８を内側に折り込むことにより、底側壁９〜１２と底板８により、底面開放の５面体形状を形成する。そこで、底係止爪２０を底係止溝１９に折曲係合させることにより、５面体形状を維持固定する。この状態で外装箱１内の前パット４と後パット５の間に嵌め込む。次に、底板８に形成された筒底２１と筒底２２の境界の罫線部で筒底２１を折曲し、筒底２２の裏側に重なるように折り返す。同時に、筒底２１の係止爪２４を筒底２２の係止部２６に挿入係止させ、２重の筒底を形成し、さらにこの２重の筒底を、筒底２２と筒側２３の境界の罫線部で折曲し、筒底２１に設けられた係止爪２５を側板１１の係止溝２７に挿入係止させ、四角形の筒形状を維持固定化することにより、外装箱と製品後方との隙間を確保できるものである。
【００３３】
次に、コードプラグ収納部であるが、これは筒側２３の一部に設けられたフラップ２８ａを筒内側方向に、かつ直角に折曲し略水平面を形成し、底板８に設けられたもう一つのフラップ２８ｂが、罫線より自由に屈曲できる形状とすることにより、コードプラグ収納部を形成する。
【００３４】
この状態で、炊飯器本体を外装箱１の開口部上方より挿入する。このとき、炊飯器本体の重みで底パット２の底板８に設けられたフラップ１６が本体に沿う形状に変形し、底当て２９が脚の下にセットされ、コードプラグ部分は、プラグによりフラップ２８ｂを押し下げ、フラップ２８ａとフラップ２８ｂにより構成されるコードプラグ収納部に収納されることとなる。
【００３５】
次に、図７に示すように、後パット５の凸部３４を下方に押し込むことにより、切り欠き３５で挟まれた部分が第３の罫線３６ｂを頂点とする略直角三角形を形成し、製品後方の当てを構成する。
【００３６】
次に、第１の天パット３を炊飯器本体の上方から被せるように挿入する。このとき第１の天パット３は図４に示す１枚のダンボールを折り曲げて図８に示すように組み立てられる。
【００３７】
まず、４隅に配置された天折り込み部４２，４３のうち、対角に配置された天折り込み部４３の両端を摘まみ、天側壁３９ａ，３９ｂ〜４１を上方に折曲げるよう付勢しながら天折り込み部４３を内側に折り込むことにより、天側壁３９ａ，３９ｂ〜４１と天板３８により、天面開放の５面体形状を形成する。そこで、天係止爪４５を天係止溝４４に折曲係合させることにより、５面体形状を維持固定し、この状態で外装箱１の上部開口部から挿入する。このとき、炊飯器本体の天面で天フラップ４９を上方に押し上げるために、天フラップ４９が隆起してくる。次に製品後方の第２の当て板６１の先端両側を第７の罫線５８で上方に９０度折り起こし、この第２の当て板６１の切り欠き穴５９の先端部に設けられた罫線よりさらに上方に鋭角に折り返し略台形形状を構成し、天側壁４０に設けられた嵌合溝５０に嵌合固定する。さらに、前方の第１の当て板５５を２回内側に折り返して三角柱を形成し、嵌合爪５６を嵌合穴５７に挿入し固定する。このとき、三角柱の１辺が炊飯器本体の前天面に当接し、保持するものである。
【００３８】
最後に、舟形形状に折り曲げた第２の天パット５２の両端を第１の天パット３の天側壁３９ａに設けた天嵌合溝５３に嵌合固定し、炊飯器本体の天面を緩衝保持できるものである。
【００３９】
以上のような構成により、ダンボールのみで形成された緩衝材において、落下時の緩衝効果を確保しながら、特にダンボール緩衝材の課題となる吸湿時の圧縮強度を確保している。また、緩衝材を外装箱と同じダンボールで構成することによって、廃棄時に外装箱と分別する手間を省略でき、さらに、緩衝材の組立を接着剤や結合部材を使用せず、一枚のダンボールからなる折畳式により形成することで、廃棄時における分解がしやすくなり、廃棄物体積を削減できるうえダンボールとして従来の外装箱と同様に分別収集されることにより、リサイクル性を向上させることができるものである。
【００４０】
なお、本実施例においては、収容物品が電気炊飯器の場合について述べたが、その他の電気調理器においても同様の効果が期待できるものである。
【００４１】
【発明の効果】
以上のように本発明の電気調理器用包装装置は、直方体状で上部開口部の４辺にそれぞれフラップをもつダンボールよりなる外装箱と、前記外装箱を内において調理器本体の下方部を保持する１枚のダンボールよりなる底パットと、調理器本体の上方部を保持する第１の天パットと、調理器本体の前方および両側方に前記外装箱の底面から天面まで連接したコの字形状の前パットと調理器本体の後方両側方に前記外装箱の底面から天面まで連接したコの字形状の後パットを備えた構成を有することにより切り欠きＳＢでの緩衝効果と、耐圧縮強度を確保できるものである。
【００４２】
また、底パットは前後ならびに両側面部を下方に折り曲げ、底面開放の５面体形状とし、天面部に調理器本体の略投影形状の第１の罫線を設け、且つ調理器本体の略投影形状の略縮小形状の第１の切り欠きを設け、前記第１の切り欠きから第１の罫線まで放射状に複数の第２の切り欠きを設けた構成を有することにより、組立の簡素化と、調理器本体の位置決めと安定した保持を実現している。
【００４３】
また、天パットは前後ならびに両側面部を上方に折り曲げ、天面開放の５面体形状とし、底面部に調理器本体の略投影形状の第５の罫線を設け、且つ調理器本体の略投影形状の略縮小形の第３の切り欠きを設け、前記第３の切り欠きから第５の罫線まで放射状に複数の第４の切り欠きを設けた構成を有することにより、組立の簡素化と、調理器本体の位置決めと安定した保持を実現している。
【００４４】
また、天パットおよび底パットの側面コーナー部は少なくとも対角方向に２箇所以上に、仮固定用の一対の係止溝および係止爪を設け、前記係止溝に前記係止爪を係合させた構成を有することにより、接着剤や結合部材を全く使用せずに各パットを組立でき、環境にやさしい緩衝材を実現するものである。
【００４５】
また、調理器本体の略投影形状の略縮小形状の第１の切り欠きのうち、一組の放射状の第２の切り欠きではさまれた部分１箇所を切り離さずに残すことにより、調理器本体の底面の受けを構成することにより、調理器本体を底パット上方からセットするだけで底受けを構成でき、脚部の緩衝保護が可能となり、部品点数の削減と、抜きカスの削減、組立の簡素化を同時に実現できるものである。
【００４６】
また、底パット天面後方部を下面方向に複数回折り曲げて筒構成を形成し、調理器本体と外装箱後面との空間を確保すると共に前記底パット後方天面部を一部切り欠き、調理器コードプラグ収納部を形成した構成を有することにより、本体より突出したコードプラグ部周辺の緩衝保持効果を高めるものである。
【００４７】
また、コードプラグ収納部に嵌合爪を設け仮止めできるよう形成した構成により、組立性の向上を図ることができるものである。
また、天パット前方部は、前記天パット前方端面を延長して設けた第１の当て板を、略３角形状に折り曲げ調理器本体の前方上端面部に接触させるよう構成することにより、上方からの衝撃が緩衝され、製品の保持性を高めるものである。
【００４８】
また、第１の当て板先端部に嵌合爪を設け、第１の当て板の根元部に嵌合穴を設け、両者を嵌合させて固定できる構成とすることにより、組立性の向上を図ることができるものである。
【００４９】
また、天パット後方部は、前記天パット中央から設けた第２の当て板を上方に傾斜させて台形状に形成させ、調理器本体の後方上端面に接触させるよう構成すると共に前記第２の当て板を前記天パット後端面部に嵌る構成を有することにより、上方からの衝撃が緩衝されるとともに、抜きカスの削減が可能なものである。
【００５０】
また、前記第１の天パットを横断嵌合するよう配され、船形形状に第６の罫線を入れて、この第６の罫線より略垂直に折り曲げ形成した第２の天パット（を備えた構成を有することにより、調理器本体の天面に装着されている蒸気筒の凸部周辺を保持し、上方からの衝撃を緩衝されるものである。
【００５１】
また、後パット中央に凸部を形成し凸部両端に切り込みを入れると共に凸部下方に３本の罫線を、前記切り込み間に設け、前記凸部を他の面と同面まで押し込んだとき、前記後パットの切り込みに挟まれた部分が、中央の罫線より前方にせり出し、後パットと外装箱により三角形状を形成する構成により、製品の奥まった部分を保持することができ、本体より突出したコードプラグ部周辺の緩衝保持効果を高めることができるものである。
【００５２】
また、前パットと後パットの展開幅長さを同一とすることにより、共取りをすることで材料の無駄をなくすことが可能なものである。
また、前パットと後パットのフルート方向は、鉛直方向とした構成を有することにより、ダンボール包装での課題となる積み上げ時の耐圧縮強度を確保できるものである。
【００５３】
また、前パット天パットと底パットのフルート方向を互いに直交する向きに配した構成を有することにより、前後左右どちらからの衝撃に対しても緩衝効果を高めることが可能となるものである。
【００５４】
このように本発明の包装装置は発泡スチロールを使うことなく、ダンボールよりなる少ない衝撃材で調理器本体の緩衝保持が可能となるものである。
【図面の簡単な説明】
【図１】本発明の一実施例の包装装置の分解斜視図
【図２】同包装装置の底パットの展開図
【図３】同包装装置の前後パットの外観図
【図４】同包装装置の第１の天パットの展開図
【図５】同包装装置の第２の天パットの展開図
【図６】同包装装置の第１の天パットの組立図
【図７】同包装装置の梱包状態を示す縦断面図
【図８】同包装装置の第１の天パットの斜視図
【符号の説明】
１      外装箱
Ｇ      炊飯器本体
２      底パット
３      第１の天パット
５２    第２の天パット
４      前パット
５      後パット
６      フラップ
７      切り欠き
８      底板
９，１０      底側壁
１１，１２    底側壁
１３      第１の罫線
３６ａ    第２の罫線
３６ｂ    第３の罫線
３６ｃ    第４の罫線
４６      第５の罫線
Ｆ        第６の罫線
５８      第７の罫線
Ａ        第８の罫線
１４    第１の切り欠き
１５    第２の切り欠き
４７    第３の切り欠き
４８    第４の切り欠き
１６    底フラップ
１７，１８    底折り込み部
１９    底係止溝
２０    底係止爪
２１，２２    筒底
２３    筒側
２４    係止爪
２５    係止爪
２６    係止部
２７    係止溝
２８ａ    フラップ
２８ｂ    フラップ
２９    底当て
３０    前板
３１    前側板
３２    後板
３３    後側板
３４    凸部
３５    切り欠き
３７    凹部
３８    天板
３９ａ，３９ｂ    天側壁
４０，４１    天側壁
４２，４３    天折り込み部
４４    天係止溝
４５    天係止爪
４９    天フラップ
５０    嵌合溝
５１    誘い
５３    天嵌合溝
５４    切り欠き
５５    第１の当て板
６１    第２の当て板
５６    嵌合爪
５７    嵌合穴
５９    切り欠き穴
Ｊ１，Ｊ２，Ｊ３    ダンボールフルート方向
【図１】
0004766733.tif 000002
【図２】
0004766733.tif 000003
【図３】
0004766733.tif 000004
【図４】
0004766733.tif 000005
【図５】
0004766733.tif 000006
【図６】
0004766733.tif 000007
【図７】
0004766733.tif 000008
【図８】
0004766733.tif 000009